(57)【要約】      （修正有）【課題】夜間のジョッギング中において交通事故等に遭遇することがないように反射機能を持たせ、かつ、クッション性や屈曲性を考慮した靴底と、その靴底を搭載したウォーキングシューズを提供する。【解決手段】踏まず部付近が床面と接触しないようにした靴底１の踏まず部に開口部を設け、開口部の上部の靴底接足面側に透明な樹脂製シャンク２を埋設させ、前記透明な樹脂製シャンクの接足側に反射材３を載置すると共に、反射材の反射面が開口部に面するよう反射材を固着する。また、靴底踏付け部には、屈曲ラインに添って靴底の幅方向に接地面側および接足面側に凹溝１７を設けて、屈曲性を良くした。靴底の接足面踵部には、嵌合部を設け、その嵌合部に反発弾性と衝撃吸収性を兼ね備えた発泡体７を埋設した。又、本考案の靴は、前記靴底の上面に靴甲被を当接したウォーキングに適した靴である。【選択図】図２
0003144954.tif 000002
【実用新案登録請求の範囲】
【請求項１】
踏まず部付近が床面と接触しないようにした靴底の踏まず部に開口部を設けて、この開口部の上部に透明な樹脂製シャンクを埋設させた靴底であり、前記透明な樹脂製シャンクの接足側に反射材を載置し反射材の反射面が開口部に面するように反射材と透明な樹脂製シャンクを一体化されていることを特徴とする靴底。
【請求項２】
前記透明なシャンクの下面は、前記開口部の周縁部がシールされていることを特徴とする請求項１記載の靴底。
【請求項３】
前記靴底の接地面踵部に靴底より衝撃吸収性と反発弾性を兼ねた発泡体が埋設されていることを特徴とする請求項１記載の靴底。
【請求項４】
中間底の踵部及び踏みつけ部から爪先部に到る領域に外底が積層された靴底であり、外底の接地面側の踏みつけ部には、靴底の幅方向に屈曲方向に平行な複数の広溝が幅方向に設けられており、かつ、中間底の接足面側には、前記外底に設けられた溝と隣接するよう狭幅の溝が設けられていることを特徴とする請求項１〜３記載のいずれか１つの靴底。
【請求項５】
前記外底の広幅の溝は、幅が５〜１０ｍｍであり、前記中間底の狭幅の溝は、幅が２〜４ｍｍである請求項４記載の靴底。
【請求項６】
請求項１〜請求項５記載のいずれか１の靴底の上部に靴甲被が当接されていることを特徴とする靴。
【考案の詳細な説明】
【技術分野】
【０００１】
本考案は、車のヘッドライト等で、履用者の存在を知らせることができ、交通事故から守ることができる靴の靴底の接地面に反射機能を有し、かつ靴底の変形防止による疲労軽減効果のあるシャンクを内蔵した靴底およびその靴底を用いた靴を提供する。
【背景技術】
【０００２】
特許文献１には反射材を靴の靴底の側面の周りにピース状に設けた靴が開示されている。
また、特許文献２には、靴の甲被や靴底の側面や底面等靴表面の全方向に反射材を設けた靴が開示されている。
靴底に反射材を付着した場合、地面との接触によって、反射材の反射面が汚れたり、擦れたりして、損傷を受けやすく、反射機能を十分果たすことができなかった。また、汚れを除去しようとしても、反射材の反射層が微細な表面の為、汚れがなかなか落とすことができず、反射機能も低下するという欠点もあった。
【特許文献１】特開２００５−４０３６５号公報
【特許文献２】登録実用新案公報第３１２１７７１号
【考案の開示】
【考案が解決しようとする課題】
【０００３】
本考案は、反射材の耐久性を向上し、反射機能を低下させないための反射材を内蔵した靴底を提供するものである。
また、反射機能に加え、靴底の踏まず部にシャンクを設けることにより、さらには、クッション性、屈曲性を付与することで、ウォーキングに適した軽量で履き心地の良い靴を提供するものである。
【課題を解決するための手段】
【０００４】
本考案の靴底は、靴底の接地面の踏まず部に開口部を設け、開口部の接足面側に透明な樹脂製シャンクを載置し、シャンクの接足面側に前記開口部を塞ぐように反射材を配置し、反射材の反射面が開口部を向くように固着したことを特徴とする。
前記透明な樹脂製シャンクと反射材が内部で一体化されているので、反射材が変形を受けず耐久性をもたらすことができる。
【０００５】
本考案の靴底に用いる透明な樹脂製シャンクは、軽量性や耐久性を考慮し、硬質塩化ビニル樹脂などの樹脂が用いられる。また、透明な樹脂製シャンクは靴底踏まず部の挿入部に固着され、開口部の周縁部で水の浸入を防ぐように接着剤でシールされていることが望ましい。
【０００６】
本考案の靴底の接地面の踵部には、挿入部を設け、その中に衝撃吸収性と反発弾性を兼ね備えたエラストマーからなる発泡体が埋設されているのが特徴である。  
【０００７】
本考案の靴底は、発泡体からなる中間底の踵部や踏み付け部から爪先部に到る領域に充実ゴムからなる外底が積層された靴底であり、外底の接地面側の踏み付け部には、靴底の幅方向に屈曲方向に沿って平行な複数の広幅の溝が設けられており、また、中間底の接足面側には、前記外底に設けられた広幅の溝と隣接するよう狭幅の溝が設けられていることを特徴とする。
前記上下の溝によって屈曲抵抗を低下させ、歩行時の靴底の屈曲がよくなる。
屈曲効果をもたらす為には、前記外底に設けられた広幅の溝は、幅が５〜１０ｍｍであり、前記中間底の接足面側に設けられた狭幅の溝は、幅が２〜４ｍｍであることが設計上望ましい。
【０００８】
本考案の靴は、前記靴底の上面に靴甲被を当接した靴であり、ウォーキングシューズに適した靴である。
図５に一例を示すが、靴甲被をラストに吊り込みし、その下面に接着剤を用いて靴底を当接したものである。
本考案の靴においては、靴底の踏まず部以外にも、靴底の側面、踵面、靴甲被に反射材が付着することも夜間の歩行を安全にする上でさらに好ましい。
【考案の効果】
【０００９】
本考案の靴底は、踏まず部付近が床面と接触しないようにし、そこに開口部を設け、その開口部の上に透明な樹脂製シャンクを設け、そのシャンクの裏面に反射材の反射面が接地面側になるように配置することで、反射材が内蔵されているので、汚れず、反射材の機能が低下しない。  
【００１０】
本考案の靴底には、靴底接地面と靴底接足面に、それぞれ屈曲ラインに沿った凹溝がもうけられており、靴底踵部に反発弾性と衝撃吸収性を兼ね備えた発泡体が挿入されているので、履用時、踏付け部が屈曲し易く、衝撃吸収性がよいので、履き心地がよい。
【００１１】
本考案の靴底には、靴底踏まず部の開口部は、シャンクの接触面との周縁部でシールされているので、水漏れしない。
【００１２】
本考案の靴は、前記靴底を採用しているので、疲労軽減の効果があり、夜間でも反射機能により安全に歩行することができる。  
【考案を実施するための最良の形態】
【００１３】
まず、最良の実施の形態の靴底及び靴について図面を参照して説明する。
各図面は以下の通りである。
図１は本考案に係る靴底の接足面から見た図である。
図２は本考案に係る靴底の接地面から見た図である。
図３は図１のＡ−Ａ線断面図である。
図４は本考案に使用する反射材の平面図とＢ−Ｂ線断面図である。
図５は本考案の靴の外観図である。
【００１４】
<靴底について>
１．中間底の成形
本考案の中間底は、ＥＶＡスポンジを用いた。構造は以下の通りである。
踵部および踏みつけ部から先部にかけて外底を積層させるための凹部を設け、踏まず部付近を床面と接触しないようにして、その踏まず部に開口部を設けた。さらに接足面には、靴底の幅方向に２〜４ｍｍの凹溝を屈曲ラインに沿って２本設けた。また、接足面側の開口部の上面には、シャンクを挿入する為の凹部を設け、接足面側の踵部には発泡体を挿入する為の凹部を設けた。また、中間底の踵部には、凹部を設け帯状の反射材を接着剤で固着した。(図示せず)
【００１５】
２．外底の成形
踏付け部から先部に積層する外底と、踵部に積層する外底を成形した。踏付け部から先部に積層する外底は、屈曲ラインに沿って、幅方向に５〜１０ｍｍの凹溝を３本設けた。
外底は、充実ゴムをプレス加硫して成形した。
【００１６】
３．中間底と外底の貼り合わせ
前記中間底の接地面側に前記外底を接着剤で貼付した。積層した状態の接地面側から見た図を図１に示す。
【００１７】
４．透明な樹脂製シャンクの挿入
次に図２に示すように、接地面側の不踏まず部に塩化ビニルからなる透明な樹脂製シャンクを挿入し、開口部から水が浸入しないように接着させた。
【００１８】
５．反射材の貼付
図４に示すような、反射層と基布からなる反射材を準備し、シャンクの上面に靴底開口部を覆うように裁断した反射材を反射面が開口部に向くように接着剤で固着した。
【００１９】
６．発泡体の挿入
衝撃吸収性と反発弾性を兼ね備えた発泡体を成形し、所定の厚みと大きさに調えた後、靴底接足面の踵部に設けられた挿入部に挿入し、接着剤で固着した。
接足面から見た図を図２に示す。図２のＡ−Ａ線断面図を図３に示す。
【００２０】
<靴の成形について>
靴甲被を縫製し、靴甲被を中底と共にラストに吊り込みし、前記１〜６により得られた靴底と接着剤を介して貼り合わせ後、ラストを型抜きし、図５に示すような靴を得た。
この靴は、底面の踏まず部の開口部に設けた反射材や踵部の反射材により、夜間の歩行でも車のライトが反射し、安全であり、又、シャンクや踵の発泡体の挿入により、履き心地が良くウォーキングに適した靴が得られた。
【図面の簡単な説明】
【００２１】
【図１】本考案に係る靴底の接地面側から見た図。
【図２】本考案に係る靴底の接足面側から見た図。
【図３】図１のＡ−Ａ線断面図。
【図４】本考案に使用する反射材の平面図とＢ−Ｂ線断面図。
【図５】本考案の靴の外観図である。
【符号の説明】
【００２２】
１．靴底
２．透明な樹脂製シャンク
３．反射材
４．反射層
５．基布
６．開口部
７．発泡体
８．接地面側
９．接足面側
１０．先部
１１．踏付け部
１２．不踏部
1３．踵部
１4．シール部
１５．靴甲被
１６．靴 
１７．接地面側に設けられた凹溝
１８．接足面側に設けられた凹溝
【図１】
0003144954.tif 000003
【図２】
0003144954.tif 000004
【図３】
0003144954.tif 000005
【図４】
0003144954.tif 000006
【図５】
0003144954.tif 000007